(57)【特許請求の範囲】
【請求項１】
屋根板１と回り縁２と天板３と背板４で空洞部５を有する屋根本体６と、
この屋根本体６の空洞部５内に注入充填して設けた半硬質・軟質のポリウレタンフォーム７で形成し、
前記空洞部５に注入充填した半硬質・軟質のポリウレタンフォーム７が、前記屋根板１の裏面に接着し、そのポリウレタンフォーム７が１次収縮した際に、当該ポリウレタンフォーム７の天板側が天板３の内面３ａと離れる方向に１次収縮し、屋根板１が天板３側に引張られないようにしたことを特徴とする建物用小屋根。
【請求項２】
前記屋根板１の裏面に制振材シート１６が貼着されている請求項１記載の建物用小屋根。
【請求項３】
前記回り縁２は断面略コ字状の形材を一部切断して折り曲げ接合した屋根板１と略同一の平面形状で、その接合部分２６が水密材で水密され、
前記屋根板１と回り縁２との連結部が水密材２８で水密されて屋根本体６の空洞部５が高水密である請求項１又は２記載の建物用小屋根。
【発明の詳細な説明】
【０００１】
【発明の属する技術分野】
本発明は、出窓の屋根や庇などの建物開口部の上縁部に沿って取付けられる建物用小屋根に関する。
【０００２】
【従来の技術】
特開平９−３２１８２号公報に開示された出窓の屋根が知られている。
この出窓の屋根は屋根板と天板の間の空間にビーズ発泡成形体を充填した形状である。
この出窓の屋根であれば、屋根板に雨滴が衝突したことにより発生する振動音をビーズ発泡成形体で緩衝して振動音が室内に伝わることを低減できる。
【０００３】
【発明が解決しようとする課題】
前述の出窓の屋根においてはビーズ発泡成形体を屋根板に密着する必要がある。
例えば、あらかじめ成形したビーズ発泡成形体を屋根板に接着剤で接着したり、屋根板と一体ビーズ発泡成形することでビーズ発泡成形体を屋根板に密着している。
このように、ビーズ発泡成形体を屋根板に密着させる作業が面倒であるため、出窓の屋根の組み立て製作作業が面倒で時間がかかる。
【０００４】
そこで、本発明は前述の課題を解決できるようにした建物用小屋根を提供することを目的とする。
【０００５】
【課題を解決するための手段】
第１の発明は、屋根板１と回り縁２と天板３と背板４で空洞部５を有する屋根本体６と、
この屋根本体６の空洞部５内に注入充填して設けた半硬質・軟質のポリウレタンフォーム７で形成し、
前記空洞部５に注入充填した半硬質・軟質のポリウレタンフォーム７が、前記屋根板１の裏面に接着し、そのポリウレタンフォーム７が１次収縮した際に、当該ポリウレタンフォーム７の天板側が天板３の内面３ａと離れる方向に１次収縮し、屋根板１が天板３側に引張られないようにしたことを特徴とする建物用小屋根である。
【０００７】
第２の発明は、第１の発明において前記屋根板１の裏面に制振材シート１６が貼着されている建物用小屋根である。
【０００８】
第３の発明は、第１又は第２の発明において前記回り縁２は断面略コ字状の形材を一部切断して折り曲げ接合した屋根板１と略同一の平面形状で、その接合部分２６が水密材で水密され、
前記屋根板１と回り縁２との連結部が水密材２８で水密されて屋根本体６の空洞部５が高水密である建物用小屋根である。
【０００９】
【作    用】
第１の発明によれば、半硬質・軟質のポリウレタンフォームは吸音性に優れているので、屋根板１に雨滴が衝突したことにより発生する振動音が空洞部５に設けた半硬質・軟質のポリウレタンフォーム７で緩衝され、その振動音が室内に伝わることを著しく低減できる。
また、屋根本体６を組み立て、その空洞部５に半硬質・軟質のポリウレタンフォームを注入充填することで小屋根を形成でき、その小屋根の組み立て製作作業が容易である。
【００１０】
また、空洞部５に注入充填した半硬質・軟質のポリウレタンフォーム７が１次収縮する際に、その天板側が天板３の内面３ａと離れる方向に１次収縮し、屋根板１が天板３に向けて引張られることがない。
したがって、屋根板表面の反り（へこみ）の発生を防止できる。
【００１１】
第２の発明によれば、屋根板１に雨滴が衝突した時の屋根板１の振動を制振材シート１６が低減するので、振動音の発生が低減され、室内に伝わる振動音がより一層低減する。
【００１２】
第３の発明によれば、回り縁２を形材を用いて容易に形成できる。
また、形材の接合部分２６が水密材で水密されていると共に、回り縁２と屋根板１の連結部が水密材２８で水密されて屋根本体６の空洞部５が高水密であるので、空洞部５に雨水が浸入することがなく、半硬質・軟質のポリウレタンフォームが雨水を吸収することがない。
【００１３】
【発明の実施の形態】
図１と図２に示すように、屋根板１と回り縁２と天板３と背板４で空洞部５を有する屋根本体６を形成し、その屋根本体６の空洞部５に半硬質・軟質のポリウレタンフォーム７を注入充填して建物用小屋根、例えば出窓の屋根を形成している。
【００１４】
前記屋根板１はアルミニウム板や鉄板などを板金加工したもので、平面形状が長方形の主屋根板１０と、この主屋根板１０の両端部と連続した一対の平面形状が略三角形の端部屋根板１１と、前記主屋根板１０、端部屋根板１１の室内側縁と連続した主取付縦片１２、端部取付縦片１３を有する。この屋根板１は平面形状が略台形形状である。
前記主屋根板１０、端部屋根板１１の室外側縁は室内側に向けて鉤形に折り曲げられて主取付鉤片１４、端部取付鉤片１５を形成している。
前記主屋根板１０の裏面と一対の端部屋根板１１の裏面に亘って制振材シート１６が貼着してある。
【００１５】
前記回り縁２はアルミニウム板や鉄板など金属製で、図３に示すように、縦板２０、上横板２１、下横板２２で断面略コ字形状で、その縦板２０の上縁寄り外面に屋根板取付片２３を有し、前記下横板２２に上向きの天板取付片２４を有する形材を用いている。この天板取付片２４は内向凹部２５を有する。
前記回り縁２は図１と図４に示すように前述の形材の長手方向両端寄り部と端部を内側に向けて折り曲げて平面形状が屋根板１の室外側縁と同一の略台形形状としてある。
【００１６】
具体的には縦板２０以外の部分をＶ字状に切断して縦板２０を折り曲げてＶ字状切断端面を接合してある。
このようにすることで、Ｖ字状切断端面の接合部分２６の水密性が低下するので、その部分をシール材、例えばホットメルト２７で水密して水密性を向上している。
【００１７】
前記天板３は屋根板１と略同一の平面形状が略台形状で、その室外側端縁３１が図３、図４に示すように回り縁２の内向凹部２５に嵌入して取付けられる。
天板３の室内側端縁３２は一直線状である。
なお、前述のホットメルト２７は天板３まで連続して塗布してあるが、回り縁２だけに塗布しても良い。
【００１８】
前記屋根板１と回り縁２は図３に示すように、屋根板１の主取付鉤片１４、端部取付鉤片１５を回り縁２の屋根板取付片２３に係止して連結される。
制振材シート１６が回り縁２の上横板２１に貼着した水密材２８に圧着して屋根板１と回り縁２の連結部を水密していると共に、制振材シート１６の室外側縁を回り縁２と屋根板１で挟持している。
【００１９】
前記背板４は天板３の室内側端縁３２に固着具、例えばコ字状の釘４１で固着される。この背板４は屋根板１の主取付縦片１２、端部取付縦片１３と回り縁２の室内側端面に接して空洞部５を有する屋根本体６を形成している。
図２に示すように、屋根板１の主取付縦片１２と端部取付縦片１３は不連続であるので、その部分にシーラント（水密材）１７を設けて水密している。
【００２０】
前述のように屋根本体６を組み立てした後に、背板４の孔４２から半硬質・軟質のポリウレタンフォームを注入充填して空洞部５を半硬質・軟質のポリウレタンフォーム７で埋め、出窓の屋根を形成する。
【００２１】
前記半硬質・軟質のポリウレタンフォームは、ポリイソシアネート、ポリオールを主原料に、発泡剤、触媒、整泡剤などを混合して反応させて製造するもので、密度は２０〜７００ｋｇ／ｍ３であって吸音性に優れている。
このために、前述の出窓の屋根は、屋根板１に雨滴が衝突したことにより発生する振動音が空洞部５に設けた半硬質・軟質のポリウレタンフォーム７で緩衝され、その振動音が室内に伝わることを著しく低減できる。
【００２２】
前記半硬質・軟質のポリウレタンフォームは水を吸収し易く、屋根本体６の空洞部５に雨水が浸入すると半硬質・軟質のポリウレタンフォームに浸入した雨水が吸収されてしまう。
前述の出窓の屋根においては、回り縁２の折り曲げて接合した接合部分２６をホットメルト２７で水密すると共に、回り縁２の上横板２１と屋根板１との間を水密材２８で水密して屋根本体６の空洞部５を高水密として空洞部５に雨水が浸入しないようにしてあるので、前述のように半硬質・軟質のポリウレタンフォームが雨水を吸収することがない。
【００２３】
前記制振材シート１６は振動を低減するものであり、屋根板１に雨滴が衝突した時の屋根板１の振動を低減するので、振動音の発生が低減され、室内に伝わる振動音がより一層低減する。
【００２４】
次に本発明のポリウレタンフォームの注入・充填の詳細を説明する。
図５に示すように、天板３の空洞部５側の面、つまり内面３ａに弾性材、例えばウレタンスポンジ４０を所定の厚さに貼着する。
このウレタンスポンジ４０は天板３の内面３ａの全面に均一厚さで貼着することが好ましいが、凹凸のある状態で貼着しても良い。また天板３の内面３ａの中央部分に貼着しても良いし、間隔を置いて複数個所に貼着しても良い。
【００２５】
このようにすれば、空洞部５に注入充填した半硬質・軟質のポリウレタンフォーム７が発泡する際に、その発泡圧によってウレタンスポンジ４０が図６（ａ）に示すように圧縮変形して薄くなる。半硬質・軟質のポリウレタンフォーム７はウレタンスポンジ４０、屋根板１の裏面（制振材シート１６）に接着する。
半硬質・軟質のポリウレタンフォーム７の１次収縮が発生した際はウレタンスポンジ４０が図６（ｂ）に示すように弾性復元（膨らむ）し、そのウレタンスポンジ４０の弾性復元（膨らみ）分だけ半硬質・軟質のポリウレタンフォーム７の天板側が天板３と離れる方向に１次収縮し、屋根板１が天板３側に引張られない。
【００２６】
これによって、屋根板１の主屋根板１０、端部屋根板１１（屋根板１の表面）の反り（へこみ）の発生を防止できる。
【００２７】
すなわち、ポリウレタンフォームには、気泡が独立している独立発泡と、気泡同士が破れ、隣同士が繋がっている連立発泡があり、後者の連立発泡では、気泡同士の連通化により、気泡の中のガスが外へ逃げることで１次収縮が発生する。
この１次収縮は、硬質のポリウレタンフォーム、半硬質・軟質のポリウレタンフォームどちらとも発生するが、半硬質・軟質のポリウレタンフォームの方が字のごとく軟らかく連通化し易いので、硬質のポリウレタンフォームに比べより顕著に連立発泡が発生する。
このために、半硬質・軟質のポリウレタンフォーム７を屋根板１と天板３の間の空洞部５に注入充填すると、その１次収縮によって半硬質・軟質のポリウレタンフォームが縮む。前記ポリウレタンフォームは接着性があるために、屋根板１と天板３に接着しているため、この１次収縮が発生すると、屋根板１が天板３側に引張られ、屋根板表面に反り（へこみ）が発生することがある。
【００２８】
図７はポリウレタンフォームの注入・充填の第２の実施の形態を示し、天板３の内面３ａにウレタンスポンジ４０の代わりにフエルト状物４１が貼着してある。貼着の仕方はウレタンスポンジ４０と同様である。
【００２９】
この場合は、空洞部５に注入充填した半硬質・軟質のポリウレタンフォーム７が発泡する際に、その発泡圧でフエルト状物４１が図８（ａ）に示すように天板３の内面３ａに押しつけられ、フエルト状物４１が押しつぶされる。半硬質・軟質のポリウレタンフォーム７は屋根板１の裏面（制振材シート１６）に接着する。
半硬質・軟質のポリウレタンフォーム７が１次収縮する際は、フエルト状物４１の表面部分４１ａ（毛の様なもの）が図８（ｂ）に示すように引張られることによって、半硬質・軟質のポリウレタンフォーム７の天板側が天板３と離れる方向に１次収縮し、屋根板１が天板３側に引張られることがない。
【００３０】
これによって、屋根板１の表面の反り（へこみ）の発生を防止できる。
【００３１】
図９はポリウレタンフォームの注入・充填の第３の実施の形態を示し、天板３の内面３ａを半硬質・軟質のポリウレタンフォーム７と接着しない状態とする。例えば天板３の内面３ａに半硬質・軟質のポリウレタンフォーム７と接着性が無い剥離紙４２を貼着する。
なお、半硬質・軟質のポリウレタンフォーム７と接着性が無い塗料等を塗布しても良い。
【００３２】
このようにすれば、空洞部５に注入充填した半硬質・軟質のポリウレタンフォーム７が発泡する際は、発泡圧で天板３の内面３ａに押しつけられるが接着することがない。
半硬質・軟質のポリウレタンフォーム７が１次収縮する際は、その天板側が天板３と離れる方向に１次収縮して空隙４３が形成され、屋根板１が天板３に向けて引張られることがない。
【００３３】
これによって屋根板１の表面の反り（へこみ）の発生を防止できる。
以上の実施の形態では出窓の屋根について説明したが、庇として利用できることは勿論である。
【００３４】
【発明の効果】
請求項１に係る発明によれば、半硬質・軟質のポリウレタンフォームは吸音性に優れているので、屋根板１に雨滴が衝突したことにより発生する振動音が空洞部５に設けた半硬質・軟質のポリウレタンフォーム７で緩衝され、その振動音が室内に伝わることを著しく低減できる。
また、屋根本体６を組み立て、その空洞部５に半硬質・軟質のポリウレタンフォームを注入充填することで小屋根を形成でき、その小屋根の組み立て製作作業が容易である。
【００３５】
また、空洞部５に注入充填した半硬質・軟質のポリウレタンフォーム７が１次収縮する際に、その天板側が天板３の内面３ａと離れる方向に１次収縮し、屋根板１が天板３に向けて引張られることがない。
したがって、屋根板表面の反り（へこみ）の発生を防止できる。
【００３６】
請求項２に係る発明によれば、屋根板１に雨滴が衝突した時の屋根板１の振動を制振材シート１６が低減するので、振動音の発生が低減され、室内に伝わる振動音がより一層低減する。
【００３７】
請求項３に係る発明によれば、回り縁２を形材を用いて容易に形成できる。
また、形材の接合部分２６が水密材で水密されていると共に、回り縁２と屋根板の連結部が水密材２８で水密されて屋根本体６の空洞部５が高水密であるので、空洞部５に雨水が浸入することがなく、半硬質・軟質のポリウレタンフォームが雨水を吸収することがない。
【図面の簡単な説明】
【図１】  屋根本体の分解斜視図である。
【図２】  屋根の斜視図である。
【図３】  屋根の縦断面図である。
【図４】  屋根の横断面図である。
【図５】  本発明のポリウレタンフォームの注入・充填の第１の実施の形態を示す屋根の縦断面図である。
【図６】  半硬質・軟質のポリウレタンフォームの発泡、１次収縮時の説明図である。
【図７】  本発明のポリウレタンフォームの注入・充填の第２の実施の形態を示す屋根の縦断面図である。
【図８】  半硬質・軟質のポリウレタンフォームの発泡、１次収縮時の説明図である。
【図９】  本発明のポリウレタンフォームの注入・充填の第３の実施の形態を示す屋根の縦断面図である。
【符号の説明】
１…屋根板、２…回り縁、３…天板、４…背板、５…空洞部、６…屋根本体、７…半硬質・軟質のポリウレタンフォーム、１６…制振材シート、２６…接合部、２７…ホットメルト（水密材）、２８…水密材、４０…ウレタンスポンジ、４１…フエルト状物、４２…剥離紙。
【図１】
0003731182.tif 000002
【図２】
0003731182.tif 000003
【図３】
0003731182.tif 000004
【図４】
0003731182.tif 000005
【図５】
0003731182.tif 000006
【図６】
0003731182.tif 000007
【図７】
0003731182.tif 000008
【図８】
0003731182.tif 000009
【図９】
0003731182.tif 000010